(57)【要約】【目的】インターネット上の情報を閲覧中に複数のサービス業者からの情報を表示する。【構成】顧客DB306は各クライアントのユーザのデータを保持する。設定DB307は、表示させる広告やニュースなどのジャンルや期間についてユーザの設定を記憶する。情報・広告DB305は、各サービス業者からの情報の分野などが登録されている。サーバ303は、情報・広告DB305と顧客DB306と設定DB307とを参照して、各サービス業者からの情報の中から、そのユーザが必要とする分野の広告やニュースなどの情報を選択して送信する。これにより、クライアント301では、インターネット201上のページをブラウザ202によりメインウィンドウで閲覧中に、広告やニュースなどの情報がINK C1システム302によりサブウィンドウに表示される。【選択図】        図３
2006171799.tif 000002
【特許請求の範囲】
【請求項１】
サーバ端末装置と１つ以上のクライアント端末装置とを備えた情報処理システムであって、
前記サーバ端末装置が、
インターネットを介して、複数のサービス業者から情報を受信するインターネット情報受信手段と、
前記クライアント端末装置に対して、複数のサービス業者からの情報を送信可能な送信手段とを有し、
前記クライアント端末装置の各々が、
前記サーバ端末装置から送信された情報を受信するサーバ情報受信手段と、
インターネットより取得した情報を第１のウィンドウにより閲覧中に、前記サーバ情報受信手段より受信した前記複数のサービス業者からの情報を第２のウィンドウに表示する表示手段とを有することを特徴とする情報処理システム。
【請求項２】
前記サーバ端末装置が、前記インターネット情報受信手段より受信した複数のサービス業者からの情報より所定の情報を選択して送信するように前記送信手段を制御する送信制御手段を有することを特徴とする請求項１に記載の情報処理システム。
【請求項３】
前記送信制御手段は、前記クライアント端末装置の各々の利用者の設定に基づいて前記所定の情報を選択して送信するように前記送信手段を制御することを特徴とする請求項２に記載の情報処理システム。
【請求項４】
前記設定は、表示した情報の履歴を含み、前記送信制御手段は、当該履歴を参照して、未表示の情報または表示後更新された情報を選択して送信するように前記送信手段を制御することを特徴とする請求項３に記載の情報処理システム。
【請求項５】
前記サーバ端末装置が、前記各々の利用者からの設定を記憶する設定データベースを有し、前記送信制御手段は、当該設定データベースに記憶された設定に基づいて前記送信手段を制御することを特徴とする請求項３に記載の情報処理システム。
【請求項６】
前記クライアント端末装置の各々が、当該クライアント端末装置の利用者からの設定を記憶する設定記憶手段を有し、前記送信制御手段は、当該設定記憶手段に記憶された設定に基づいて前記送信手段を制御することを特徴とする請求項３に記載の情報処理システム。
【請求項７】
前記クライアント端末装置の各々が、
当該クライアント端末装置の利用者からの設定を記憶する設定記憶手段と、
該設定記憶手段に記憶された設定に基づいて所定の情報を選択して受信するように前記受信手段を制御する受信制御手段を有することを特徴とする請求項１に記載の情報処理システム。
【請求項８】
前記設定記憶手段はユーザの必要とする情報の分野の設定を記憶することを特徴とする請求項５乃至７に記載の情報処理システム。
【請求項９】
前記設定記憶手段はユーザの設定する情報の表示期間または表示時期の設定を記憶することを特徴とする請求項５乃至７に記載の情報処理システム。
【請求項１０】
前記送信制御手段は、前記送信手段による複数の情報の送信順序、送信時期、送信時間の少なくとも１つを制御することを特徴とする請求項２に記載の情報処理システム。
【請求項１１】
前記送信制御手段は、前記送信時間を情報源であるサービス業者の設定に基づいて制御することを特徴とする請求項１０に記載の情報処理システム。
【請求項１２】
前記送信制御手段は、前記送信手段が、所定の複数の情報を同時に送信するように制御することを特徴とする請求項２に記載の情報処理システム。
【請求項１３】
前記クライアント端末装置の各々が、前記サーバ情報受信手段より受信したサービス業者の情報を保存する保存手段と、
前記保存手段に保存されたサービス業者の情報をオフラインで表示するオフライン表示手段とを有することを特徴とする請求項１に記載の情報処理システム。
【請求項１４】
前記保存手段が、前記サービス業者の各情報に所定のインデックスを付与して保存することを特徴とする請求項１３に記載の情報処理システム。
【請求項１５】
前記サービス業者の各情報に付与された前記所定のインデックスをソートして表示するソート表示手段を有することを特徴とする請求項１４に記載の情報処理システム。
【請求項１６】
前記保存手段が、前記サービス業者の各情報を日時と対応付けて保存しており、
前記ソート表示手段が、前記サービス業者の各情報を日時に基づいてソートして表示可能であることを特徴とする請求項１５に記載の情報処理システム。
【請求項１７】
前記クライアント端末装置の各々が、前記サーバ情報受信手段より受信したサービス業者の情報を、表示切り換え指示に応じて前記第1のウィンドウに表示するように制御する表示領域制御手段を有することを特徴とする請求項１に記載の情報処理システム。
【請求項１８】
前記クライアント端末装置の各々が、前記サーバ情報受信手段より受信したサービス業者の情報を、ポップアップ表示指示に基づいてポップアップ表示するポップアップ表示手段を有することを特徴とする請求項１に記載の情報処理システム。
【請求項１９】
前記クライアント端末装置の各々が、前記サーバ情報受信手段より受信したサービス業者の情報を受信時には表示せず、後で表示するように制御する表示時期制御手段を有することを特徴とする請求項１に記載の情報処理システム。
【請求項２０】
前記サーバ端末装置が、
前記クライアント端末装置でインターネットより取得して閲覧中の情報の内容を当該クライアント端末装置より受信する受信手段と、
受信した当該内容に関連する情報を生成する情報生成手段を備え、
前記情報生成手段により生成された情報を送信するように前記送信手段を制御する関連情報送信制御手段とを有することを特徴とする請求項１に記載の情報処理システム。
【請求項２１】
前記情報生成手段は、前記関連する情報を、前記閲覧中の情報に含まれる文章または特定の単語を翻訳して生成することを特徴とする請求項２０に記載の情報処理システム。
【請求項２２】
前記サービス業者からの情報は、リアルタイム情報または特定の種類の情報を含むことを特徴とする請求項１に記載の情報処理システム。
【請求項２３】
前記リアルタイム情報または特定の種類の情報は、キャンペーン広告、バナー広告、ニュース情報、レッスン情報、用語集の少なくとも1つを含むことを特徴とする請求項１に記載の情報処理システム。
【請求項２４】
詳細表示指示に応じて、前記サーバ情報受信手段が、現在表示中の情報に対する詳細情報を取得し、前記表示手段が当該詳細情報を表示するすることを特徴とする請求項１に記載の情報処理システム。
【請求項２５】
前記サーバ情報受信手段が、前記詳細情報を、現在表示中の情報のサービス業者のサイトから直接取得することを特徴とする請求項２４に記載の情報処理システム。
【請求項２６】
前記サーバ装置に、各サービス業者からの情報の詳細情報の取得先として、当該サービス業者のサイトが設定されており、前記サーバ情報受信手段が、当該設定を参照することを特徴とする請求項２５に記載の情報処理システム。
【請求項２７】
複数のサービス業者から情報を受信して送信するサーバ端末装置と接続可能なクライアント端末装置であって、
インターネットを介して、複数のサービス業者からの情報を受信するインターネット情報受信手段と、
前記クライアント端末装置に対して、複数のサービス業者からの情報を送信可能な送信手段とを有することを特徴とするクライアント端末装置。
【請求項２８】
複数のサービス業者から情報を受信して送信するサーバ端末装置と接続可能なクライアント端末装置における情報処理方法であって、
前記サーバ端末装置から送信された情報を受信するサーバ情報受信工程と、
インターネットより取得した情報を第１のウィンドウにより閲覧中に、前記サーバ情報受信工程において受信した前記複数のサービス業者からの情報を第２のウィンドウに表示する表示工程とを有することを特徴とする情報処理方法。
【請求項２９】
複数のサービス業者から情報を受信して送信するサーバ端末装置と接続可能なクライアント端末装置において実行されるコンピュータ読み取り可能な情報処理プログラムであって、
前記サーバ端末装置から送信された情報を受信するサーバ情報受信工程と、
インターネットより取得した情報を第１のウィンドウにより閲覧中に、前記サーバ情報受信工程において受信した前記複数のサービス業者からの情報を第２のウィンドウに表示する表示工程とを有することを特徴とする情報処理プログラム。
【請求項３０】
１つ以上のクライアント端末装置と接続可能なサーバ端末装置であって、
インターネットを介して、複数のサービス業者からの情報を受信するインターネット情報受信手段と、
前記クライアント端末装置に対して、複数のサービス業者から所定の情報を選択する選択手段と、
前記選択手段により選択した送信可能な送信手段とを有することを特徴とするサーバ端末装置。
【請求項３１】
１つ以上のクライアント端末装置と接続可能なサーバ端末装置における情報処理方法であって、
インターネットを介して、複数のサービス業者からの情報を受信するインターネット情報受信工程と、
前記クライアント端末装置に対して、前記複数のサービス業者からの情報から所定の情報を選択する選択工程と、
前記選択工程において選択した情報を送信する送信工程とを有することを特徴とする情報処理方法。
【請求項３２】
１つ以上のクライアント端末装置と接続可能なサーバ端末装置において実行されるコンピュータ読み取り可能な情報処理プログラムであって、
インターネットを介して、複数のサービス業者からの情報を受信するインターネット情報受信工程と、
前記クライアント端末装置に対して、複数のサービス業者からの情報を送信可能な送信工程とを有することを特徴とする情報処理プログラム。
【請求項３３】
サーバ端末装置と１つ以上のクライアント端末装置とを備えた情報処理システムであって、
前記サーバ端末装置が、
インターネットを介して、前記クライアント端末装置から要求されたページ情報及び複数のサービス業者からの情報を受信するインターネット情報受信手段と、
前記クライアント端末装置に対して、当該クライアント端末から要求されたページ情報を送信すると共に、複数のサービス業者からの情報を送信可能な送信手段とを有し、
前記クライアント端末装置の各々が、
前記サーバ端末装置から送信された情報を受信するサーバ情報受信手段と、
前記サーバ情報受信手段より受信した前記ページ情報を第１のウィンドウに表示すると同時に、前記サーバ情報受信手段より受信した前記複数のサービス業者からの情報を第２のウィンドウに表示する表示手段とを有することを特徴とする情報処理システム。
【請求項３４】
１つ以上のクライアント端末と接続可能なサーバ端末装置であって、
インターネットを介して、前記クライアント端末装置から要求されたページ情報及び複数のサービス業者からの情報を受信するインターネット情報受信手段と、
前記クライアント端末装置に対して、当該クライアント端末装置から要求されたページ情報を送信すると共に、複数のサービス業者からの情報を送信可能な送信手段とを有することを特徴とするサーバ端末装置。
【請求項３５】
１つ以上のクライアント端末と接続可能なサーバ端末装置における情報処理方法であって、
インターネットを介して、前記クライアント端末装置から要求されたページ情報及び複数のサービス業者からの情報を受信するインターネット情報受信工程と、
前記クライアント端末装置に対して、当該クライアント端末装置から要求されたページ情報を送信すると共に、複数のサービス業者からの情報を送信可能な送信工程とを有することを特徴とする情報処理方法。
【請求項３６】
１つ以上のクライアント端末と接続可能なサーバ端末装置において実行されるコンピュータ読み取り可能な情報処理プログラムであって、
インターネットを介して、前記クライアント端末装置から要求されたページ情報及び複数のサービス業者からの情報を受信するインターネット情報受信工程と、
前記クライアント端末装置に対して、当該クライアント端末から要求されたページ情報を送信すると共に、複数のサービス業者からの情報を送信可能な送信工程とを有することを特徴とする情報処理プログラム。
【発明の詳細な説明】
【発明の属する技術分野】
本発明は、インターネットの情報を閲覧するシステム及びその方法に関するものである。
【従来の技術】
従来、コンピュータ又はインターネット機器を利用してインターネットからの情報をブラウザというソフトを使って閲覧する事が行なわれている。そこで、インターネット上の特定のページに広告をリンクさせておくことで、そのページを閲覧するユーザに広告を見せることができる。
【発明が解決しようとしている課題】
しかしながら、上記従来技術では、様々なサービス業者からの広告やニュースなどの多様な情報を、ユーザが閲覧するページによらずに提供することはできなかった。
またそのようなサービス業者からの情報は、ユーザのニーズとは必ずしも一致していなかった。
【課題を解決するための手段】
上記課題を解決するために、本発明によれば、サーバ端末装置と１つ以上のクライアント端末装置とを備えた情報処理システムにおいて、前記サーバ端末装置が、インターネットを介して、前記クライアント端末装置から要求されたページ情報及び複数のサービス業者からの情報を受信するインターネット情報受信手段と、前記クライアント端末装置に対して、当該クライアント端末装置から要求されたページ情報を送信すると共に、複数のサービス業者からの情報を送信可能な送信手段とを有し、前記クライアント端末装置の各々が、前記サーバ端末装置から送信された情報を受信するサーバ情報受信手段と、前記サーバ情報受信手段より受信した前記ページ情報を第１のウィンドウに表示すると同時に、前記サーバ情報受信手段より受信した前記複数のサービス業者からの情報を第２のウィンドウに表示する表示手段とを備える。
また、他の態様によれば、複数のサービス業者から情報を受信して送信するサーバ端末装置と接続可能なクライアント端末装置に、インターネットを介して、複数のサービス業者からの情報を受信するインターネット情報受信手段と、前記クライアント端末装置に対して、複数のサービス業者からの情報を送信可能な送信手段とを備える。
また、他の態様によれば、複数のサービス業者から情報を受信して送信するサーバ端末装置と接続可能なクライアント端末装置における情報処理方法に、前記サーバ端末装置から送信された情報を受信するサーバ情報受信工程と、インターネットより取得した情報を第１のウィンドウにより閲覧中に、前記サーバ情報受信工程において受信した前記複数のサービス業者からの情報を第２のウィンドウに表示する表示工程とを備える。
また、他の態様によれば、複数のサービス業者から情報を受信して送信するサーバ端末装置と接続可能なクライアント端末装置において実行されるコンピュータ読み取り可能な情報処理プログラムに、前記サーバ端末装置から送信された情報を受信するサーバ情報受信工程と、インターネットより取得した情報を第１のウィンドウにより閲覧中に、前記サーバ情報受信工程において受信した前記複数のサービス業者からの情報を第２のウィンドウに表示する表示工程とを備える。
また、他の態様によれば、１つ以上のクライアント端末装置と接続可能なサーバ端末装置であって、インターネットを介して、複数のサービス業者からの情報を受信するインターネット情報受信手段と、前記クライアント端末装置に対して、複数のサービス業者から所定の情報を選択する選択手段と、前記選択手段により選択した送信可能な送信手段とを備える。
また、他の態様によれば、１つ以上のクライアント端末装置と接続可能なサーバ端末装置における情報処理方法であって、インターネットを介して、複数のサービス業者からの情報を受信するインターネット情報受信工程と、前記クライアント端末装置に対して、前記複数のサービス業者からの情報から所定の情報を選択する選択工程と、前記選択工程において選択した情報を送信する送信工程とを備える。
また、他の態様によれば、１つ以上のクライアント端末装置と接続可能なサーバ端末装置において実行されるコンピュータ読み取り可能な情報処理プログラムに、インターネットを介して、複数のサービス業者からの情報を受信するインターネット情報受信工程と、前記クライアント端末装置に対して、前記複数のサービス業者からの情報から所定の情報を選択する選択工程と、前記選択工程において選択した情報を送信する送信工程とを備える。
また、他の態様によれば、サーバ端末装置と１つ以上のクライアント端末装置とを備えた情報処理システムにおいて、前記サーバ端末装置に、インターネットを介して、前記クライアント端末装置から要求されたページ情報及び複数のサービス業者からの情報を受信するインターネット情報受信手段と、前記クライアント端末装置に対して、当該クライアント端末から要求されたページ情報を送信すると共に、複数のサービス業者からの情報を送信可能な送信手段とを備え、前記クライアント端末装置の各々に、前記サーバ端末装置から送信された情報を受信するサーバ情報受信手段と、前記サーバ情報受信手段より受信した前記ページ情報を第１のウィンドウに表示すると同時に、前記サーバ情報受信手段より受信した前記複数のサービス業者からの情報を第２のウィンドウに表示する表示手段とを備える。
また、他の態様によれば、１つ以上のクライアント端末と接続可能なサーバ端末装置に、インターネットを介して、前記クライアント端末装置から要求されたページ情報及び複数のサービス業者からの情報を受信するインターネット情報受信手段と、前記クライアント端末装置に対して、当該クライアント端末装置から要求されたページ情報を送信すると共に、複数のサービス業者からの情報を送信可能な送信手段とを備える。
また、他の態様によれば、１つ以上のクライアント端末と接続可能なサーバ端末装置における情報処理方法に、インターネットを介して、前記クライアント端末装置から要求されたページ情報及び複数のサービス業者からの情報を受信するインターネット情報受信工程と、前記クライアント端末装置に対して、当該クライアント端末装置から要求されたページ情報を送信すると共に、複数のサービス業者からの情報を送信可能な送信工程とを備える。
また、他の態様によれば、１つ以上のクライアント端末と接続可能なサーバ端末装置において実行されるコンピュータ読み取り可能な情報処理プログラムに、インターネットを介して、前記クライアント端末装置から要求されたページ情報及び複数のサービス業者からの情報を受信するインターネット情報受信工程と、前記クライアント端末装置に対して、当該クライアント端末装置から要求されたページ情報を送信すると共に、複数のサービス業者からの情報を送信可能な送信工程とを備える。
【発明の実施の形態】
以下、図面を用いて本発明の１実施形態を詳細に説明する。
図１は、本実施形態に係るサーバ及びクライアントのハードウェア構成を示すブロック図である。
同図において、ＣＰＵ101は、フローチャートにつき後述する処理手順を含む各種プログラムを実行し、システムバス106により接続された装置各部を制御する。ＲＡＭ102は、データやプログラムを一時記憶する。ＲＯＭ103は、固定的なデータやプログラムを記憶する。キーボード104は、文字を入力したり、機能を選択するためのキーを備えている。更に画面上の位置を指示するためのポインティングデバイスとしてマウスが備えられている。
ディスプレイ105は、検索などの処理結果を表示したり、ユーザインターフェースを提供する。ハードディスクドライブ（ＨＤＤ）106は、プログラムやデータを永続的に記憶できる。システムバス107は、上述した装置各部を接続し、装置間でデータやアドレス、制御信号を送受信する媒体として利用される。
フローチャートにつき後述する処理手順を含む各種プログラムは、ＲＯＭ103に記憶されていてもよいし、ＨＤＤ106からＲＡＭ102へ、処理に先立ってあるいは処理の実行中に必要に応じてロードされるようにしてもよい。
図２は、本実施形態の情報処理システムの機能構成を示すブロック図である。ブラウザー202、203はインターネット201上の情報閲覧に利用される。INKシステム204は、ブラウザー202、203、ファイリングシステム207、文書管理システム208、情報管理システム209、Expertシステム210を制御し、利用して後述する本実施形態の主たる処理を実行する。知識ベース管理部205は、データベース206上の知識ベースの知識を管理する。ファイリングシステム207は、ファイルを管理する。文書管理システム208は、文書を管理する。情報管理システム209は、文書以外の情報を管理する。Expertシステム210は、専門家の知識を持ち、推論などを行なって問題を解決する。
図３は、サーバ及びクライアントの機能構成を示すブロック図である。
クライアント301は、それぞれブラウザ202により、インターネット201上の閲覧したいページの内容を取得して表示するとともに、INK C1システム302により、サーバ303を介して得られるサービス業者からの情報を表示する。顧客DB306は各クライアントのユーザのデータを保持する。設定DB307は、広告やニュースなどの情報について、どのようなジャンルのものをどれだけの期間表示するかといったユーザの設定したデータを記憶する。情報・広告DB305は、各サービス業者からの情報がどのような分野のものかなどが登録されている。サーバ303は、INK S1システム304により、顧客DB306、設定DB307、情報・広告DB305を参照して、各サービス業者からの情報の中から、各クライアント301のユーザの設定に従って、そのユーザが必要とする分野の広告やニュースなどの情報を選択して送信する。これにより、メインウィンドウでページの内容を閲覧中に、広告やニュースなどの情報がサブウィンドウに表示される。
図４は、全体の処理手順を示すフローチャートである。以下では、インターネットに接続して必要な情報を閲覧する例について説明する。
ステップS401では、インターネット上の情報を閲覧する準備となる初期の処理を実行する。ステップS402では、閲覧などのメインの処理を実行する。ステップS403では、終了時の処理を実行する。
図５は、ステップS401の初期の処理の詳細手順を示すフローチャートである。
ステップS501では、ブラウザーが起動されているかを判別し、起動されていなければ、ステップS502で起動する。ステップS503では新たなセッションを作成するCreateSession()を実行し、ステップS504で知識ベースの知識を更新する。ステップS505では、情報閲覧のためのユーザインタフェース（UI）を表示する。
図６は、ステップS503のCreateSession()の詳細手順を示すフローチャートである。
ステップS601では、現在接続しているユーザの情報や、このユーザに関する設定を顧客DB306、設定DB307から取得する。ステップS602では、ユーザの情報・設定に基づいて、サービス業者からの情報を表示するか否かを判定し、表示する場合は、ステップS603に進み、表示しない場合は、ステップS605へ進む。この判定のためには、設定DB307に設定された各ユーザが必要とする情報の種類、表示する時期を参照する。一方、顧客DB306のユーザの情報を参照して、サービス業者から指定された送信条件に合致するかを判定してもよい。
ステップS603では、KPTActionACT1（GetNextData）を作成し、ステップS604でACT1をシステムタスクリストに追加して、ステップS605に進む。そして、ステップS605でセッションを作成する。
図７は、ステップS402のメインの処理の詳細手順を示すフローチャートである。
ステップS701では、ブラウザーの起動が要求されているかを判断し、そうであれば、ステップS702でセッションを作成し、ステップS705に進む。起動が要求されていなければ、ステップS703で、ブラウザーの終了が要求されているかを判断し、そうであれば、ステップS704で、セッションを終了し、ステップS705に進む。終了でなければ、ステップS706に進む。
ステップS706で、ユーザの操作があれば、ActLにUserAction()を設定してステップS708に進み、ステップS707で、システムのタスクがあれば、ActLにSystemAction()を設定してステップS708に進む。システムのタスクがない場合、ステップS701に戻る。
ステップS708では、システム終了であるかを判別して、終了であれば、ステップS709で現在のタスクを終了し、ステップS710で知識ベースを更新し、リターンする。終了でなければ、ステップS711でExecuteAction(ActL)を実行し、ステップS705に進む。ステップS705では、知識ベースを更新し、ステップS701に戻る。
図８は、ステップS706で設定され、ステップS711で実行されるユーザの操作に応じた処理の詳細手順を示すフローチャートである。
まず、ステップS801でActの値にユーザの操作を設定し、ステップS802で、ActがNULLであれば、falseとしてリターンする。ステップS803で、Actがサービス業者のUIの操作であれば、ステップS804で、ProcessServiceUI(Act)を実行してtrueとしてリターンする。
また、Actが再生であれば、後述するShowSession()を実行してリターンする（ステップS805、806）。Actが記録一覧であれば、後述するShowLinks()を実行してリターンする（ステップS807、808）。Actが検索であれば、検索のUIを表示してリターンする（ステップS809、810）。Actがユーザ設定の表示であれば、図５０〜５１に示すようなユーザ設定のUIを表示してリターンする（ステップS811、812）。
図９は、ステップS804のProcessServiceUI()の詳細手順を示すフローチャートである。
ステップS901で、ActがPopUpであれば、ステップS902で、画面下部のサブウィンドウに表示されているサービス業者のUIをPopUp表示して、ステップS901に戻る。ステップS903で、Actが詳細表示であれば、ステップS904で、図１０につき詳述するShowDatail(Act)を実行して、ステップS901に戻る。ステップS905、906で、ActがGetNextDataあるいは保存であれば、ステップS907でKPTAction、KPTDoc、知識構造(KS)を作成して、trueとしてリターンする。ステップS908で、Actがユーザ設定であれば、ステップS909でユーザ設定画面を表示し、ステップS910で、ユーザにより設定された内容を保存する。ステップS911で、Actが元に戻すであれば、ステップS912で、詳細表示されていたサービス業者のUIを通常画面に切り替えて、falseとしてリターンする。
図１０は、ステップS904のShowDetail(Act)の詳細手順を示すフローチャートである。
ステップS1001で、現在、サービス業者のUI画面で表示されている情報の知識構造(KS)を取得する。ステップS1002で、DetailURL＝KSから詳細URLを取得する。DetailURLが現在表示中のサービス業のUI画面のURLと同一であるか、またはDetailURLの内容が既に存在すれば、ステップS1006に進む（ステップS1003〜1004）。それ以外の場合、ステップS1005で、DetailURLの内容を取得する。ステップS1006では、POPUP表示するか否かを判別し、YESであれば、ステップS1007で、図４６に示すように、DetailURLの内容をPOPUP表示してリターンする。NOであれば、ステップS1008で、DetailURLの内容を通常画面に表示してリターンする。ここでは、詳細情報をPOPUP表示あるいは通常画面に表示させるように制御したが、サービス業者のUIを POPUP表示あるいは通常画面に表示させるように制御してもよい。
図１１は、ステップS806のShowSessionの詳細手順を示すフローチャートである。
まず、ステップS1101では、全ての情報を表示するかを、ユーザに対する問い合わせもしくは既になされている設定から判断し、全てを表示しない場合、ステップS1102でユーザによる選択あるいは設定に従って、表示内容を決定する。例えば、サービス業者からの情報だけ、あるいは４月に取得した情報だけ等と決定する。ステップS1103では、知識ベースから適切なKPTAction（KPTDoc）を取得し、ステップS1104では、KPTActionをタイムチャート、セッション別にソートし、ステップS1105で、再生UIを表示してリターンする。
図１２は、ステップS808のShowLinksの詳細手順を示すフローチャートである。
まず、ステップS1201では、全ての情報を表示するかを、ユーザに対する問い合わせもしくは既になされている設定から判断し、全てを表示しない場合、ステップS1202でユーザによる選択あるいは設定に従って、表示内容を決定する。例えば、サービス業者からの情報だけ、あるいは４月に取得した情報だけ等と決定する。
ステップS1203では、知識ベースからKPTAction（KPTDoc）を取得し、ソート項目が組織であれば、組織別にソートして（ステップS1204、1205）、ステップS1211に進む。ソート項目がドメインであれば、ドメイン別にソートして（ステップS1206、1207）、ステップS1211に進む。ソート項目がキーワードであれば、キーワード別にソートして（ステップS1208、1209）、ステップS1211に進む。ソート項目が組織でもドメインでもキーワードでもなければ、ステップS1210で、サービス業別にソートして、ステップS1211に進む。ステップS1211では、記録一覧UIを表示してリターンする。
図１３は、ステップS711のExecuteActionの詳細手順を示すフローチャートである。
ステップS1301で、次のActをActListから取得する。ステップS1302でActがなければ、リターンする。ステップS1303では、取得したActに不足があれば、知識ベースを用いた推論によって補い、完全なものにする。
Actが保存であれば、図１４につき後述するSaveContents()を実行する（ステップS1304〜1305）。ActがGetNextDataであれば、図１５につき後述するGetNextDataToShow ()を実行する（ステップS1306〜1307）。そして、ステップS1308で知識ベースを更新して、ステップS1301に戻る。
図１４は、ステップS1305のSaveContentsの詳細手順を示すフローチャートである。
ステップS1401で、同一の内容が既に知識ベースに存在しているかを判断し、存在してなければ、ステップS1402で内容をダウンロードして、ステップS1403で、知識ベースにKPTActionとKPTDocを追加する。同一の内容が既に知識ベースに存在している場合、ステップS1404で、知識ベースを更新する。
図１５は、ステップS1306で実行されるGetNextDataToShow ()の詳細手順を示すフローチャートである。
ステップS1501で、サービス業のサイトへの接続が成功した場合は、ステップS1502で、ユーザに適切な次の情報構造KSを取得してステップS1505に進む。接続が成功しなかった場合、オフライン情報があれば、適切な次の情報構造KSを取得する（ステップS1503、1504）。オフライン情報がなければ、ステップS1509でエラー表示してリターンする。
ステップS1505〜1508では、URL1＝KSから表示URLを取得し、N = KSから表示期間を取得し、URL1をサービス業ＵＩ画面に表示し、システムTIMERをN 秒間セットする。
図１６は、ステップS707で設定され、ステップS711で実行されるシステムタスクの実行処理の詳細手順を示すフローチャートである。
ステップS1601で、システムタスクがあれば、ステップS1602で、T1にシステムタスクの作成を設定する。ActがCheckExpiredであれば、有効期限の過ぎたデータを削除する（ステップS1603、1604）。また、ActがCheckUpdateであれば、プログラムが最新バージョンでなければ、バージョンアップする（ステップS1605、1606）。また、ActがGetNextDataあるいはTIMERDONEであれば、図１５につき説明したGetNextDataToShow ()を実行する（ステップS1607〜1609）。
続いて、ステップS1610で、知識ベースを更新し、ステップS1611で、T1を終了する。
図１７は、ステップS403の終了処理の詳細手順を示すフローチャートである。
ステップS1701で表示中のUIを消去し、ステップS1702でセッションを終了し、ステップS1703で知識ベースを更新する。サーバとの接続の終了が必要であれば、接続も終了させて（ステップS1704、1705）、処理を終える。
図１８は、サーバ装置の全体の処理手順を示すフローチャートである。
ステップS1801では、準備となる初期の処理を実行する。ステップS1802では、保存などのメインの処理を実行する。ステップS1803では、終了時の処理を実行する。
図１９は、ステップS1801の初期の処理の詳細手順を示すフローチャートである。
セッションを作成し、知識ベースを更新し、Clientから要求を受けるサービスを開始する（ステップS1901〜1903）。
図２０は、ステップS1802のメインの処理の詳細手順を示すフローチャートである。
ステップS2001では、ActLがClientの要求であるかを調べ、そうであればステップS2004に進む。そうでなければ、ステップS2002で、ユーザの操作があれば、ActLにUserAction()を設定してステップS2004に進む。ユーザの操作がなければ、ステップS2003に進み、システムのタスクがあればActLにSystemAction()を設定してステップS2004に進む。システムのタスクがなければ、ステップS2001に戻る。ステップS2004では、ActL ＝システム終了であるかを判別して、終了であれば、ステップS2005で現在のタスクを終了して、ステップS2006で知識ベースを更新し、リターンする。終了でなければ、ステップS2007でExecuteServerAct(ActL)を実行し、ステップS2008で知識ベースを更新してステップS2001に戻る。
さて、図２１は、ActL＝UserAction()の場合のステップS2007のExecuteServerActの詳細手順を示すフローチャートである。
ステップS2101で、次のActをActListから取得する。ステップS2102でActがなければ、リターンする。ステップS2103では、取得したActに不足があれば、知識ベースを用いた推論によって補い、完全なものにする。
Actが、GetNextDataであれば、ステップS2109に進む。ActがGetSettingsであれば、ユーザの設定情報を返して（ステップS2105〜2106）、ステップS2109に進む。Actがユーザ設定保存であれば、ユーザの設定を保存して（ステップS2107〜2108）、ステップS2109に進む。ステップS2109では、知識ベースを更新して、ステップS2101に戻る。
図２２は、ステップS2003で設定され、ステップS2007で実行される、ActL＝SystemAction()の場合のExecuteServerActの詳細手順を示すフローチャートである。
ステップS2201で、システムタスクがあれば、ステップS2202で、T1にシステムタスクの作成を設定する。ActがCheckExpiredであれば、有効期限の過ぎたデータを削除する（ステップS2203、2204）。また、ActがCheckUpdateであれば、プログラムが最新バージョンでなければ、バージョンアップする（ステップS2205、2206）。また、ActがPushAdであれば、各クライアントに適切な情報または広告を発信する（ステップS2207〜2208）。
続いて、ステップS2209で、知識ベースを更新し、ステップS2210で、T1を終了する。
図２３は、ステップS2007のExecuteServerActの詳細手順を示すフローチャートである。
ステップS2301で、次のActをActListから取得する。ステップS2302でActがなければ、リターンする。ステップS2303では、取得したActに不足があれば、知識ベースを用いた推論によって補い、完全なものにする。
Actが保存であれば、図１４につき説明したSaveContents()を実行する（ステップS2304〜2305）。ActがGetNextDataであれば、図２４につき後述するGetInfo (user1)を実行する（ステップS2306〜2307）。そして、ステップS2308で知識ベースを更新して、ステップS2301に戻る。
図２４は、ステップS2307のGetInfo(user1)の詳細手順を示すフローチャートである。
ステップS2401で、ユーザUser1の設定情報を取得し、ステップS2402で、その設定からユーザUser1が特定のサービスを要求しているかを判断し、要求していれば、ステップS2403で、ユーザUser1に対して適切なサービスを提供してステップS2406に進む。ユーザUser1が特定のサービスを要求していなければ、ステップS2404で、ユーザUser1に対して適切な情報を知識ベースから選択し、ステップS2405で、情報があればステップS2406に進み、なければステップS2404に戻る。ステップS2406で、選択した情報をユーザに返して処理を終了する。
図２５は、ステップS1803の終了処理の詳細手順を示すフローチャートである。
Clientが接続されていれば、Clientにメッセージを発信する（ステップS2501〜2502）。ステップS2503でセッションを終了し、ステップS2504で知識ベースを更新して、処理を終える。
図２６は、サーバ及びクライアントの第２の機能構成を示すブロック図である。図３との相違点は、ユーザ設定をサーバではなく各クライアントの設定記憶部2603に保持している点である。
図２７は、図２６の構成におけるステップS503のCreateSession()の詳細手順を示すフローチャートである。図６との相違点は、ステップS2704でユーザの設定情報をクライアントからサーバに渡す点である。
他の構成として、ユーザの設定情報をクライアントからサーバに渡さずに、各クライアントが、ユーザの設定情報を参照して、サーバからの情報にフィルタを掛けたり、設定に一致する情報をサーバに取りに行くなどして、必要な情報だけを受信するようにしてもよい。
図２８は、サーバ及びクライアントの第３の機能構成を示すブロック図である。図２６との相違点は、各クライアントが情報・広告DB（ローカルDB）2803を保持している点である。
図２９は、図２８の構成におけるステップS503のCreateSession()の詳細手順を示すフローチャートである。図２７との相違点は、ステップS2904でサービス業者からのリアルタイム情報またはカスタマイズされた情報をローカルDB3104にダウンロードし、ローカルDB3104から情報を提供する点である。これにより、サービス業者からのデータをオフラインで表示することができる。
図３０は、本実施形態の知識ベースにおける知識構造を示す図である。(a)、(b)、(c)はそれぞれ、KPTConcept、KPTPerson、KPTDocumentの知識構造を示している。
図３１は、本実施形態の知識ベースにおける知識構造を示す図である。(a)、(b)はそれぞれ、KPTAction、KPTContentの知識構造を示している。
図３２は、本実施形態の知識ベースの内容を示す図である。(a)、(b)はそれぞれ、KPTDocument、KPTActionの知識ベースの内容を示している。
図３３は、本実施形態の知識ベースの内容を示す図である。(a)、(b)はそれぞれ、KPTPerson、KPTContentの知識ベースの内容を示している。
図３４は、Domainの知識ベースの内容を示す図である。
図３５は、組織名のインデックスを決定するルールの例を示す図である。URLから、パラメータ、プロトコル、自明なアドレス、及びページ情報を除き、残ったデータについてドメイン名の知識ベースを参照してドメイン名を除き、残ったデータをピリオドで分割して、それぞれを組織名として抽出する。
図３６は、ドメイン名のインデックスを決定するルールの例を示す図である。URLから、パラメータ、プロトコル、自明なアドレス、及びページ情報を除き、残ったデータについてドメイン名の知識ベースを参照してドメイン名を抽出する。
図３７は、情報DBの内容の例を示す図である。ニュースや会社情報、広告などの場合を示している。各情報には、IDが付けられ、ニュース(NEWS)や会社情報(COMP)、広告(ADVT)などのカテゴリ(CAT)に分類され、更に、NEWS1、NEWS2などのように細分類されている。また、サービス業画面のUIのURLがINFO.URLとして、詳細表示が要求された場合に表示すべき内容のURLがDETAIL.URLとして、それぞれ対応付けられている。ここで、例えば、ID901の広告のように、UI画面は、http://service/travel1であり、サービス業者から提供されるのに対し、詳細表示では、http://travel.com/usaであり、広告主のサイトから直接提供することができる。
また、TIMEに各情報を表示すべき時間（ここでは秒数）が規定されており、この値をタイマにセットして表示時間を制御する。
図３８は、情報DBの内容の例を示す図である。英会話や歴史など、レッスン用の情報を示している。この場合は、図３７と異なり、詳細情報もサービス業者から提供されるようにしている。
図３９は、顧客DBの内容の例を示す図である。名前、メールアドレス、電話、住所などが管理されている。このデータに基づいて、地域限定情報や広告主の店の近所の人に対する情報の発信などを行なうことができる。
図４０は、設定DBの内容の例を示す図である。各ユーザ毎に、好みのカテゴリが登録されており、これに従って、ユーザに対して発信する情報の種類を選択する。また、各情報の最終表示日時が記憶され、これにより、まだ見ていない情報や見た後に更新されている情報を選択できる。また、現在の接続状態も管理されている。
図４１は、サービス業者のリアルタイム情報の表示例を示す図である。画面下部にサービス業者からリアルタイムに送信される情報が表示されている。
ここで、「情報保存」を選択することで、このサービス業者からの情報を保存することができる。また、「詳細表示」を選択することで、より詳細な情報を表示させることができる。また、「設定」を選択することで、現在の設定内容を表示させて確認することができ、必要に応じてその設定を変更することもできる。
図４２は、サービス業者からのリアルタイム情報としてニュースを表示させる場合の表示例を示す図である。各ニュースが１行に表示されており、横にスクロールさせることで、現在表示中の情報の続きを表示させることができる。また、垂直方向にスクロールさせることで、次のニュースを表示させることができる。
図４３は、サービス業者からのリアルタイム情報として天気を表示させる場合の表示例を示す図である。この天気は、ユーザ設定または顧客情報により、各クライアントの地域に合わせた天気を表示させることができる。
図４４は、バナー広告を表示させる場合の表示例を示す図である。このバナー広告は、サーバから提供される。「情報保存」ボタンにより、一旦内容を保存しておき、後からオフラインで表示させることもできる。また、「詳細表示」ボタンにより、図４５に示すように詳細な内容をメインウィンドウに表示させることができる。このとき、画面上部のアドレスに示されるように、詳細内容は、サーバから提供を受けるのではなく、サービス業者の実際のサイトから直接情報を受信して表示させることができる。また、図４６に示すように、詳細な内容をポップアップ表示させることもできる。
図４７は、サービス業者からの情報として複数の情報をミックスして表示させる場合の表示例を示す図である。ここでは、ある会社からの新製品販売の発表情報（1日程度を単位として更新され、所定の時期に取り込んで保存すれば、後はその保存されている情報を提供すればよい情報）と、それとは別の広告と、それ以外のリアルタイム情報（時分秒などを単位として頻繁に更新され、常に情報源の最新情報を必要とする情報）として株式情報を表示させている。ここでは、会社からの情報に合せて、この会社の現在の株価を表示させているが、この会社の情報とは独立なリアルタイム情報を表示させることもできる。
図４８、４９は、サービス業者からの情報としてキャンペーン広告を表示させる場合の表示例を示す図である。図４８は、先着１００名に達するまで、あるいは予め定められた期間、同一の情報が表示される。このような広告では、サービス業者側で発信すべきユーザの条件を指定し、サーバが顧客DBを参照して、条件に合致するユーザを選び、更にその中でそのような広告を受け取るように設定しているユーザに送信するようにしてもよい。
これに対し、図４９は、明日の宿泊で「残り×部屋」ということで、逐次更新されて最新の情報が表示される。
図５０は、分野に関するユーザ設定画面の表示例を示す図である。ニュース、スポーツ、旅行、ビジネスといった分野について、それぞれの情報を必要とするかどうかを設定し、各分野について更にどの分類の情報を要求するかを設定できる。
図５１は、時間に関するユーザ設定画面の表示例を示す図である。情報の大分類あるいは小分類について、それを流すべき期間の開始や終了の時点が設定でき、常に流す、指定時刻に流す、当面流さないなどの設定が可能である。
図５２は、情報を表示する他の例を示す図である。メニュー表示される昔話を選択して、その内容を表示できる。このメニューは、定期的に変更することもできる。
図５３は、教育用の情報を表示する例を示す図である。定期的に、例えば、毎日、順次新たなレッスンの内容を表示させることができる。ここで、「後で表示」を選択することで、現時点では表示せず、所定時間経過後あるいはユーザの要求時点で再表示させることができる。その際、クライアント端末のDBに保存しておいてオフラインで表示させるようにしてもよい。また、「開封済み」を選択することで、再度表示させないようにすることもできる。
図５４は、新語情報を表示する例を示す図である。例えば、新聞で最近よく使用される新しい用語とその意味を表示する。ここでも、図５２と同様に、「後で表示」あるいは「開封済み」を選択することができる。
これまでの例では、サブウィンドウの表示内容はメインウィンドウとは独立であったが、図５５は、メインウィンドウの外国語の文章に対して、サブウィンドウでは、文章中の難しい単語の訳語を表示する例を示す図である。そのためには、クライアントからサーバにメインウィンドウの表示内容を発信し、辞書あるいは単語帳を参照して、所定レベル以上に分類されている単語とその訳語を抽出してサブウィンドウの表示情報を作成すればよい。この時、どのレベルまで訳語を表示させるかをユーザが設定できるようにしてもよい。
図５６は、図５５を更に進めて、メインウィンドウの外国語の文章に対して、サブウィンドウにその全文訳を表示する例を示す図である。この場合も、クライアントからサーバにメインウィンドウの表示内容を発信し、それをサーバで翻訳して、サブウィンドウの表示情報を作成すればよい。
図５７−６１は、ソート結果を示す図である。図５７は、情報のカテゴリによるソート結果を示す図である。図５８は、タイムチャートによるソート結果を示す図である。図５９は、組織別のソート結果を示す図である。図５８では、毎日のレッスン情報がそれぞれの日と対応付けて表示されている。図５９では、SEnglish Schoolという組織の下にまとめられている。
図６０は、ドメイン別のソート結果を示す図である。図６１は、キーワード別のソート結果を示す図である。同図に示すように、ソート結果から１つの項目を選択して、その内容を開いたり、そのURLへ飛んだり、削除したり、そのキーワードとの対応付けを解消したりすることができる。
図６２は、サービス業者のリアルタイム情報の表示例を示す図である。図４１と同様の表示状態において、サブ画面のUIから「メイン保存」によりメイン画面の保存もできるようにしたものである。
図６３は、上述した機能を加えた場合の、UserActionの処理手順を示すフローチャートである。図８との相違は、Actがメイン保存の場合、メインウィンドウの情報を取得して、SaveContents()を実行する（ステップS6313〜6315）が追加された点である。
このようにメインウィンドウの内容も保存する場合、サブウィンドウで表示した情報には、メインウィンドウで表示した情報とは識別可能なインデックスが付されており、上記各ソートにおいて、サブウィンドウで表示した内容だけについてソートして表示できる。
また、以上の例において、複数の情報をどのような順に表示するかは、ユーザの設定を参照するなどしてサーバで決定される。
図６４は、サーバ及びクライアントの第4の機能構成を示すブロック図である。これは、図３の構成において、各サービス業者からの情報の配信がインターネットの閲覧と同一のサーバを介して行なわれるようにしたものである。
クライアント6401は、それぞれINK C4システム6402により、プロバイダであるサーバ6403に接続し、サーバ6403を介してインターネット201上の閲覧したいページの内容を取得して表示する。顧客DB306、設定DB307、情報・広告DB305は、図３と同一である。サーバ6403は、INK S4システム6404により、顧客DB306、設定DB307、情報・広告DB305を参照して、各サービス業者からの情報の中から、各クライアント6401のユーザの設定に従って、そのユーザが必要とする分野の広告やニュースなどの情報を選択して送信する。これにより、メインウィンドウでページの内容を閲覧中に、広告やニュースなどの情報がサブウィンドウに表示される。
図６５は、サーバ及びクライアントの第５の機能構成を示すブロック図である。これは、図２６の構成において、各サービス業者からの情報の配信がインターネットの閲覧と同一のサーバを介して行なわれるようにしたものである。
図６６は、サーバ及びクライアントの第６の機能構成を示すブロック図である。これは、図２８の構成において、各サービス業者からの情報の配信がインターネットの閲覧と同一のサーバを介して行なわれるようにしたものである。
尚、本発明は、単一の機器からなる装置に適用しても、複数の機器から構成されるシステムに適用してもよい。また、上述した実施形態の機能を実現するソフトウェアのプログラムコードを記憶した記憶媒体を、装置あるいはシステムに供給し、装置あるいはシステム内のコンピュータが記憶媒体に格納されたプログラムコードを読み出して実行することによって達成してもよい。
更に、装置あるいはシステム内のコンピュータが記憶媒体に格納されたプログラムコードを読み出して実行することによって、上述した実施形態の機能を直接実現するばかりでなく、そのプログラムコードの指示に基づいて、コンピュータ上で稼動しているＯＳなどの処理により、上述の機能を実現される場合も含まれる。
これらの場合、そのプログラムコードを記憶した記憶媒体は本発明を構成することになる。
【発明の効果】
以上説明したように、本発明によれば、インターネット上の情報を閲覧中に複数のサービス業者からの様々な情報を表示することができるという効果がある。
【図面の簡単な説明】
【図１】本実施形態に係るサーバ及びクライアントのハードウェア構成を示すブロック図である。
【図２】本実施形態の情報処理システムの機能構成を示すブロック図である。
【図３】サーバ及びクライアントの機能構成を示すブロック図である。
【図４】全体の処理手順を示すフローチャートである。
【図５】初期の処理の詳細手順を示すフローチャートである。
【図６】  CreateSession()の詳細手順を示すフローチャートである。
【図７】メインの処理の詳細手順を示すフローチャートである。
【図８】ユーザの操作に応じた処理の詳細手順を示すフローチャートである。
【図９】  ProcessServiceUI()の詳細手順を示すフローチャートである。
【図１０】  ShowDatail(Act)の詳細手順を示すフローチャートである。
【図１１】  ShowSessionの詳細手順を示すフローチャートである。
【図１２】  ShowLinksの詳細手順を示すフローチャートである。
【図１３】  ExecuteActionの詳細手順を示すフローチャートである。
【図１４】  SaveContentsの詳細手順を示すフローチャートである。
【図１５】  GetNextDataToShow ()の詳細手順を示すフローチャートである。
【図１６】システムタスクの実行処理の詳細手順を示すフローチャートである。
【図１７】終了処理の詳細手順を示すフローチャートである。
【図１８】サーバ装置の全体の処理手順を示すフローチャートである。
【図１９】初期の処理の詳細手順を示すフローチャートである。
【図２０】メインの処理の詳細手順を示すフローチャートである。
【図２１】  ActL＝UserAction()の場合のExecuteServerActの詳細手順を示すフローチャートである。
【図２２】  ActL＝SystemAction()の場合のExecuteServerActの詳細手順を示すフローチャートである。
【図２３】  ExecuteServerActの詳細手順を示すフローチャートである。
【図２４】  GetInfo(user1)の詳細手順を示すフローチャートである。
【図２５】終了処理の詳細手順を示すフローチャートである。
【図２６】サーバ及びクライアントの第２の機能構成を示すブロック図である。
【図２７】  CreateSession()の詳細手順を示すフローチャートである。
【図２８】サーバ及びクライアントの第３の機能構成を示すブロック図である。
【図２９】  CreateSession()の詳細手順を示すフローチャートである。
【図３０】知識ベースにおける知識構造を示す図である。
【図３１】知識ベースにおける知識構造を示す図である。
【図３２】知識ベースの内容を示す図である。
【図３３】知識ベースの内容を示す図である。
【図３４】  Domainの知識ベースの内容を示す図である。
【図３５】組織名のインデックスを決定するルールの例を示す図である。
【図３６】ドメイン名のインデックスを決定するルールの例を示す図である。
【図３７】情報DBの内容の例を示す図である。
【図３８】情報DBの内容の例を示す図である。
【図３９】顧客DBの内容の例を示す図である。
【図４０】設定DBの内容の例を示す図である。
【図４１】サービス業者のリアルタイム情報の表示例を示す図である。
【図４２】ニュースを表示させる場合の表示例を示す図である。
【図４３】天気を表示させる場合の表示例を示す図である。
【図４４】バナー広告を表示させる場合の表示例を示す図である。
【図４５】詳細な内容をメインウィンドウに表示させる例を示す図である。
【図４６】詳細な内容をポップアップ表示させる例を示す図である。
【図４７】複数の情報をミックスして表示させる場合の表示例を示す図である。
【図４８】キャンペーン広告を表示させる場合の表示例を示す図である。
【図４９】キャンペーン広告を表示させる場合の表示例を示す図である。
【図５０】分野に関するユーザ設定画面の表示例を示す図である。
【図５１】時間に関するユーザ設定画面の表示例を示す図である。
【図５２】情報を表示する他の例を示す図である。
【図５３】教育用の情報を表示する例を示す図である。
【図５４】新語情報を表示する例を示す図である。
【図５５】文章中の難しい単語の訳語を表示する例を示す図である。
【図５６】全文訳を表示する例を示す図である。組織別のソート結果を示す図である。
【図５７】情報のカテゴリによるソート結果を示す図である。
【図５８】タイムチャートによるソート結果を示す図である。
【図５９】組織別のソート結果を示す図である。
【図６０】ドメイン別のソート結果を示す図である。
【図６１】キーワード別のソート結果を示す図である。
【図６２】サービス業者のリアルタイム情報の表示例を示す図である。
【図６３】  UserActionの処理手順を示すフローチャートである。
【図６４】サーバ及びクライアントの第４の機能構成を示すブロック図である。
【図６５】サーバ及びクライアントの第５の機能構成を示すブロック図である。
【図６６】サーバ及びクライアントの第６の機能構成を示すブロック図である。
【図１】
2006171799.tif 000003
【図２】
2006171799.tif 000004
【図３】
2006171799.tif 000005
【図４】
2006171799.tif 000006
【図５】
2006171799.tif 000007
【図６】
2006171799.tif 000008
【図７】
2006171799.tif 000009
【図８】
2006171799.tif 000010
【図９】
2006171799.tif 000011
【図１０】
2006171799.tif 000012
【図１１】
2006171799.tif 000013
【図１２】
2006171799.tif 000014
【図１３】
2006171799.tif 000015
【図１４】
2006171799.tif 000016
【図１５】
2006171799.tif 000017
【図１６】
2006171799.tif 000018
【図１７】
2006171799.tif 000019
【図１８】
2006171799.tif 000020
【図１９】
2006171799.tif 000021
【図２０】
2006171799.tif 000022
【図２１】
2006171799.tif 000023
【図２２】
2006171799.tif 000024
【図２３】
2006171799.tif 000025
【図２４】
2006171799.tif 000026
【図２５】
2006171799.tif 000027
【図２６】
2006171799.tif 000028
【図２７】
2006171799.tif 000029
【図２８】
2006171799.tif 000030
【図２９】
2006171799.tif 000031
【図３０】
2006171799.tif 000032
【図３１】
2006171799.tif 000033
【図３２】
2006171799.tif 000034
【図３３】
2006171799.tif 000035
【図３４】
2006171799.tif 000036
【図３５】
2006171799.tif 000037
【図３６】
2006171799.tif 000038
【図３７】
2006171799.tif 000039
【図３８】
2006171799.tif 000040
【図３９】
2006171799.tif 000041
【図４０】
2006171799.tif 000042
【図４１】
2006171799.tif 000043
【図４２】
2006171799.tif 000044
【図４３】
2006171799.tif 000045
【図４４】
2006171799.tif 000046
【図４５】
2006171799.tif 000047
【図４６】
2006171799.tif 000048
【図４７】
2006171799.tif 000049
【図４８】
2006171799.tif 000050
【図４９】
2006171799.tif 000051
【図５０】
2006171799.tif 000052
【図５１】
2006171799.tif 000053
【図５２】
2006171799.tif 000054
【図５３】
2006171799.tif 000055
【図５４】
2006171799.tif 000056
【図５５】
2006171799.tif 000057
【図５６】
2006171799.tif 000058
【図５７】
2006171799.tif 000059
【図５８】
2006171799.tif 000060
【図５９】
2006171799.tif 000061
【図６０】
2006171799.tif 000062
【図６１】
2006171799.tif 000063
【図６２】
2006171799.tif 000064
【図６３】
2006171799.tif 000065
【図６４】
2006171799.tif 000066
【図６５】
2006171799.tif 000067
【図６６】
2006171799.tif 000068